(57)【要約】【課題】新型インフルエンザなどのパンデミックが発生した場合に、管理対象区画における感染防止を考慮した入退場管理を行う入退場管理システムを提供する。【解決手段】本発明は、所定の管理対象区画Ｅに対する入場退場を、入退場者が所持するＩＣカードに記憶される情報に基づいて行う入退場管理システムにおいて、入退場者がマスクを装着しているか否かを判定し、当該入退場者がマスクを装着しているとき、当該入退場者が所持するＩＣカードにマスク装着に関し適格であるデータを時間情報として書き込む第１の手段と、入退場者が手洗いを実行したか否かを判定し、当該入退場者が手洗いを実行したとき、当該入退場者が所持するＩＣカードに手洗い実行に関し適格であるデータを時間情報として書き込む第２の手段と、入退場者の体熱が平熱であるか否かを判定し、当該入退場者の体熱が平熱であるとき、当該入退場者が所持するＩＣカードに体熱に関し適格であるデータを時間情報として書き込む第３の手段と、を有することを特徴とする。【選択図】      図１
2010217999.tif 000002
【特許請求の範囲】
【請求項１】
所定の管理対象区画に対する入場退場を、入退場者が所持するＩＣカードに記憶される情報に基づいて行う入退場管理システムにおいて、
入退場者が危機管理に関する所定条件を満たしているか否かを判定し、当該入退場者が前記所定条件を満たしているとき、当該入退場者が所持するＩＣカードに前記所定条件を満たすことに係るデータを時間情報として書き込む手段を有することを特徴とする入退場管理システム。
【請求項２】
前記手段を複数有することを特徴とする請求項１に記載の入退場管理システム。
【請求項３】
前記手段には、所定時間の経過を待つことが含まれることを特徴とする請求項１又は請求項２に記載の入退場管理システム。
【請求項４】
所定の管理対象区画に対する入場退場を、入退場者が所持するＩＣカードに記憶される情報に基づいて行う入退場管理システムにおいて、
入退場者がマスクを装着しているか否かを判定し、当該入退場者がマスクを装着しているとき、当該入退場者が所持するＩＣカードにマスク装着に関し適格であるデータを時間情報として書き込む第１の手段と、
入退場者が手洗いを実行したか否かを判定し、当該入退場者が手洗いを実行したとき、当該入退場者が所持するＩＣカードに手洗い実行に関し適格であるデータを時間情報として書き込む第２の手段と、
入退場者の体熱が平熱であるか否かを判定し、当該入退場者の体熱が平熱であるとき、当該入退場者が所持するＩＣカードに体熱に関し適格であるデータを時間情報として書き込む第３の手段と、を有することを特徴とする入退場管理システム。
【請求項５】
前記第１の手段又は／及び前記第２の手段には、所定時間の経過を待つことが含まれることを特徴とする請求項４に記載の入退場管理システム。
【発明の詳細な説明】
【技術分野】
【０００１】
本発明は、重要施設や管理対象区画における人の入退時の管理を行うために用いられる入退場管理システムに関する。
【背景技術】
【０００２】
従来より、機密保持が必要とされる施設内の区画の多くには、当該区画への入退場を管理するために、当該区画に対して入退を行う者が所持するＩＣカードのＩＤ（入退場者認識用ＩＤ）番号を当該区画の出入部に設けられたＩＣカードリーダーなどによって読み取って、施錠・解錠などを行うシステムを設けることが提案されている。
【０００３】
例えば、特許文献１（特開２００６−３１８０２３号公報）には、管理区画ごとに設置された電気錠付き扉に備えられたリーダーライターが、入退場者が保持する記録媒体に記録された入退場情報を読み取り、当該入退場情報により電気錠の解錠を判断して解錠制御を行うとともに、当該入退場処理結果を前記記録媒体に書き込む入退場管理システムであって、前記入退場情報には、入退場が許される管理区画を示す権限テーブルが含まれていることを特徴とする入退場管理システムが開示されている。
【特許文献１】特開２００６−３１８０２３号公報
【発明の概要】
【発明が解決しようとする課題】
【０００４】
ところで、従来の入退場管理システムでは、非常時、たとえば新型インフルエンザなどのパンデミックが発生した場合に、その感染防止を考慮し入退場管理を行うものではなく問題であった。パンデミックが発生した場合における入退場管理においては、以下の点を考慮することにより、管理している区画内での感染拡大の防止を図ることが可能となると言われている。
（ａ）飛沫感染を防止するために、マスクを着用していない者は入場させないこと。
（ｂ）手洗いを行っていない者を入場させないこと。
（ｃ）検温をパスしない者は区画内に入場させないこと。
（ｄ）人と人との距離が保持されていること。
【０００５】
なお、以上の（ａ）乃至（ｄ）のチェックを人手によって行うことも考えられるが、このチェックを行うためにはチェック要員などの人手が必要となることや、人手によるチェックでは、チェック可能な人数が制限されることなどから、規模の大きい事業所などの管理区画では人手によるチェックは現実的に困難である。
【課題を解決するための手段】
【０００６】
この発明は、上記課題を解決するものであって、請求項１に係る発明は、所定の管理対象区画に対する入場退場を、入退場者が所持するＩＣカードに記憶される情報に基づいて行う入退場管理システムにおいて、入退場者が危機管理に関する所定条件を満たしているか否かを判定し、当該入退場者が前記所定条件を満たしているとき、当該入退場者が所持するＩＣカードに前記所定条件を満たすことに係るデータを時間情報として書き込む手段を有することを特徴とする。
【０００７】
また、請求項２に係る発明は、請求項１に記載の入退場管理システムにおいて、前記手段を複数有することを特徴とする。
【０００８】
また、請求項３に係る発明は、請求項１又は請求項２に記載の入退場管理システムにお
いて、前記手段には、所定時間の経過を待つことが含まれることを特徴とする。
【０００９】
また、請求項４に係る発明は、所定の管理対象区画に対する入場退場を、入退場者が所持するＩＣカードに記憶される情報に基づいて行う入退場管理システムにおいて、入退場者がマスクを装着しているか否かを判定し、当該入退場者がマスクを装着しているとき、当該入退場者が所持するＩＣカードにマスク装着に関し適格であるデータを時間情報として書き込む第１の手段と、入退場者が手洗いを実行したか否かを判定し、当該入退場者が手洗いを実行したとき、当該入退場者が所持するＩＣカードに手洗い実行に関し適格であるデータを時間情報として書き込む第２の手段と、入退場者の体熱が平熱であるか否かを判定し、当該入退場者の体熱が平熱であるとき、当該入退場者が所持するＩＣカードに体熱に関し適格であるデータを時間情報として書き込む第３の手段と、を有することを特徴とする。
【００１０】
また、請求項５に係る発明は、請求項４に記載の入退場管理システムにおいて、前記第１の手段又は／及び前記第２の手段には、所定時間の経過を待つことが含まれることを特徴とする。
【発明の効果】
【００１１】
本発明の請求項１に係る入退場管理システムによれば、第１の手段によりマスクを装着している入退場者のＩＣカードに対してのみ適格である旨のデータを時間情報として書き込み、第２の手段により手洗いを実行した入退場者のＩＣカードに対してのみ適格である旨のデータを時間情報として書き込み、第３の手段により体熱が平熱である入退場者のＩＣカードに対してのみ適格である旨のデータを時間情報として書き込むものであるので、新型インフルエンザなどのパンデミックが発生した場合に、管理対象区画における感染防止を考慮した入退場管理を行うことが可能となる。
【００１２】
また、本発明の請求項１及び請求項２に係る入退場管理システムによれば、混雑状況に応じて、所定時間の経過を待つようにすることで、入退場管理において人と人の間の距離をある程度保つことができる。
【図面の簡単な説明】
【００１３】
【図１】本発明の実施形態に係る入退場管理システムを鳥瞰的にみた模式図である。
【図２】本発明の実施形態に係る入退場管理システムにおけるマスク着否判定ブースを説明する図である。
【図３】本発明の実施形態に係る入退場管理システムにおける手洗いブースを説明する図である。
【図４】本発明の実施形態に係る入退場管理システムにおける体熱計測ブースを説明する図である。
【図５】発明の実施の形態に係る入退場管理システムの認証に用いられるＩＣカードのブロック構成を示す図である。
【図６】本発明の実施形態に係る入退場管理システムの第１制御部における処理のフローチャートの一例を示す図である。
【図７】本発明の実施形態に係る入退場管理システムの第２制御部における処理のフローチャートの一例を示す図である。
【図８】本発明の実施形態に係る入退場管理システムの第３制御部における処理のフローチャートの一例を示す図である。
【図９】既設の入退場管理システムの第４制御部における処理のフローチャートの一例を示す図である。
【図１０】本発明の実施形態に係る入退場管理システムにおける混雑度記憶情報の更新処理のフローチャートを示す図である。
【発明を実施するための形態】
【００１４】
以下、本発明の実施の形態を図面を参照しつつ説明する。図１は本発明の実施形態に係る入退場管理システムを鳥瞰的にみた模式図であり、図２は本発明の実施形態に係る入退場管理システムにおけるマスク着否判定ブースを説明する図であり、図３は本発明の実施形態に係る入退場管理システムにおける手洗いブースを説明する図であり、図４は本発明の実施形態に係る入退場管理システムにおける体熱計測ブースを説明する図である。なお、以下の実施形態においては、管理対象区画への入場を例に取り説明するが、本実施形態は管理対象区画からの退場にも適用可能なものである。
【００１５】
本実施形態に係る入退場管理システムは、新型インフルエンザなどのパンデミックが発生した場合において、平時に用いられている入退場管理システムに対して追加して用いられるものであり、平時に用いられている入退場管理システムは管理対象区画Ｅの直前に設けられているＩＣカードリーダーライター４１０やゲート４２０などの構成である。以下、本実施形態においては、パンデミックが発生した場合における危機管理を例に説明するが、本発明に係る入退場管理システムはこのような利用方法に限定されるものではなく、例えば、テロなどが発生した場合における危機管理用途として、平時に用いられている入退場管理システムに追加して用いることができる。
【００１６】
平時に用いられる入退管理システムでは、管理対象区画Ｅの入口付近のＩＣカードリーダーライター４１０に対して、入退出をしようとする入退場者は、このＩＣカードリーダーライター４１０に入退場者が所持するＩＣカードをかざすことで、ＩＣカードリーダーライター４１０はＩＣカードに記憶される情報を無線方式（非接触）で読み取る。なお、ＩＣカードリーダーライター４１０はＩＣカードに記憶される情報を、場合に応じてはＩＣカードに記憶される情報を更新したりもする。ＩＣカードリーダーライター４１０が読み取ったＩＣカードのＩＤデータと、適正ＩＤデータ記憶部４５０に記憶されている情報に基づいて第４制御部４００は、入退場者の入退出の許可の判断、ゲート４２０の開閉等のコントロールなどを行うようになっている。このようなＩＣカードリーダーライターとＩＣカードとによる入退管理には、従来周知のものを用いることができる。
【００１７】
これに対して、本実施形態に係る入退場管理システムは、このような既設の入退場管理システムに対して、新型インフルエンザなどのパンデミックが発生した場合にさらに追加されて使用されるものであり、パンデミックの拡散防止を図るべく、入退者が既設の入退場管理システムに到達するまでに、入場に適切な者のみを選別し、既設の入退場管理システムに導く役割を担っている。
【００１８】
本実施形態に係る入退場管理システムは、主として、マスク着否判定ブースＡ（第１の区画）、手洗いブースＢ（第２の区画）、体熱計測ブースＣ（第３の区画）における入退場者の入退を管理するものである。これらの区画の入退を管理する上で、本実施形態に係る入退場管理システムにおいては、パンデミック拡散防止のために次の諸点が考慮されている。
（ａ）飛沫感染を防止するために、マスクを着用していない者は入場させないこと。
（ｂ）手洗いを行っていない者を入場させないこと。
（ｃ）検温をパスしない者は区画内に入場させないこと。
（ｄ）人と人との距離が保持されていること。
【００１９】
管理対象区画Ｅに入場しようとする入場者は、まず（１）からマスク着否判定ブースＡ（第１の区画）に進み、マスクを装着しているかのチェックを受ける。このチェックを行うためのスペースは複数設けられており、ある程度の数の入場者を裁くことができるようになっている。図１では点線に囲まれた構成は、各チェックスペースに設けられた入場者
のマスク装着チェックを行うための構成である。このチェックにおいて、マスクの装着が確認された入場者は、次に（２）から手洗いブースＢ（第２の区画）に進む。
【００２０】
手洗いブースＢ（第２の区画）では、入場者に対して手洗いを行わせる区画であり、このための構成として複数のスペースには、それぞれ手洗い場などが設けられている。図１では点線に囲まれた構成は、各スペースに設けられた入場者の手洗いを管理するための構成である。このスペースで手洗いを行った入場者は次に（３）から体熱計測ブースＣ（第３の区画）に進む。
【００２１】
体熱計測ブースＣ（第３の区画）は、入場者の体熱をチェックする区画であり、当該区画には体熱チェックのための複数のスペースが設けられている。図１では点線に囲まれた構成は、各チェックスペースに設けられた入場者の体熱チェックを行うための構成である。このスペースで、体熱が平常であると判定された者は（４）から管理対象区画（Ｅ）に入場することが可能となる。
【００２２】
一方、体熱計測ブースＣ（第３の区画）で体熱チェックの不合格であった者は（５）から体温計測ブース（Ｄ）に進み、詳細な体温の検温（再検査）を受けて、体温が通常より高いことが確認されると、（６）から療養先へと向かう。一方、体温計測ブース（Ｄ）における検温（再検査）で入場者の体温が平熱であることが確認されると、（７）から体熱計測ブースＣ（第３の区画）に戻り、管理対象区画（Ｅ）に入場することが可能となる。
【００２３】
以上が本発明の前提となる入場・退場の流れであり、次に、本発明の実施形態に係る入退場管理システムの各正規入退場者に配布されて利用されるＩＣカードについて説明する。図５は本発明の実施の形態に係る入退場管理システムの認証に用いられるＩＣカードのブロック構成を示す図である。図５において、１０はＩＣカード、１１はアンテナ部、１２は電力生成部、１３は通信制御部、１４はＩ／Ｏユニット、１５はＣＰＵ、１６はメモリ、２０はＩＤデータ記憶部、２１は第１タイムスタンプ記憶部、２２は第２タイムスタンプ記憶部、２３は第３タイムスタンプ記憶部をそれぞれ示している。
【００２４】
ＩＣカード１０は、無線通信機能を有してなり、ＩＣカードリーダーライター（１１０、２１０、３１０、４１０）との間で情報の送受を行うことができる非接触型ＩＣカードである。すなわち、このＩＣカード１０には、アンテナ部１１と、ＩＣカードリーダーライター（１１０、２１０、３１０、４１０）と通信（交信）するための通信制御部１３と、その通信制御部１３とＩ／Ｏユニット１４を介して接続されているＣＰＵ１５と、システムプログラムデータの他に所定のカードデータの記憶されているメモリ１６と、ＩＣカードリーダーライター（１１０、２１０、３１０、４１０）からの電力波をアンテナ部１１を介して受信し、ＩＣカード１０の駆動電力を生成する電力生成部１２とを有している。
【００２５】
上記のメモリ１６は、ＩＣカード１０自体の唯一無二の識別情報（ＩＤデータ）を記憶保持するＩＤデータ記憶部２０や、ＩＣカードリーダーライター（１１０、２１０、３１０）によって書き込まれるタイムスタンプ記憶部２１乃至２３などを有している。なお、メモリ１６に記憶させる情報はこれに限定されるものではなく、必要に応じてさらなる記憶部を設けることもできる。
【００２６】
次に個々の区画における詳細なチェック等について説明する。なお、本実施形態においては、正規の入場者に対しては、従来の通りそれぞれのＩＤデータが記憶されるＩＣカード１０が配布されている。
【００２７】
前記（ａ）のために設けられているのが、マスク着否判定ブースＡ（第１の区画）であ
る。このマスク着否判定ブースＡ（第１の区画）においては、マスクを着用している入場者のみを選別する。この選別のための構成としては、仕切りで仕切られた個別スペース（図１ではこれが４つ設けられている）に、ＩＣカードリーダーライター１１０、撮像装置１２０、表示装置１３０などが設けられている。また、これらの構成を制御するに第１制御部１００が設けられている。この第１制御部１００は、ＣＰＵとＣＰＵ上で動作するプログラムを保持するＲＯＭとＣＰＵのワークエリアであるＲＡＭなどからなる汎用の情報処理機構であるが、特に、この第１制御部１００は、適正ＩＤデータ記憶部１５０、タイムスタンプ発行部１６０を備えてなるものである。
【００２８】
マスク着否判定ブースＡ（第１の区画）におけるマスク装着者のチェックの概略としては、入場者に自らのＩＣカード１０をＩＣカードリーダーライター１１０に挿入してもらい、撮像装置１２０によって当該入場者の顔画像を取得する。そして、顔画像の撮像データを画像解析し、入場者がマスクを装着しているか否かを判定する。この判定の結果は、表示装置１３０における「適」の点灯、又は「不適」の点灯によって入場者に報知される。また、判定の結果が適であるときには、ＩＣカードリーダーライター１１０によって、入場者のＩＣカード１０の第１タイムスタンプ記憶部２１に適判定が出されたときの時刻を書き込むようにする。第１のタイムスタンプは、マスク装着に関し適格であるデータを時間情報として現したものである。なお、本実施形態ではＩＣカード１０をＩＣカードリーダーライター１１０に挿入するタイプのＩＣカードリーダーライター１１０が用いられているが、このようなタイプのＩＣカードリーダーライター１１０に限らず、例えば、入場者がＩＣカード１０を所持しているだけでも、ＩＣカード１０との間で非接触通信を行い得るものを用いることも好ましい実施形態である。また、本実施形態では、入場者に「適」であるか「不適」であるかを報知する手段として表示装置１３０を用いるようにしているが、本発明はこれに限らず、音声によって入場者に「適」であるか「不適」であるかを報知する手段を用いることも可能である。また、入場者に「不適」が報知された場合には、入場者は、例えば、マスク着否判定ブースＡ（第１の区画）からいったん出て、マスクを装着することが期待される。
【００２９】
これまでに説明したように、管理対象区画Ｅに到達するまでに、入場者はマスク着否判定ブースＡ（第１の区画）→手洗いブースＢ（第２の区画）→体熱計測ブースＣ（第３の区画）を経なければならないが、例えば、マスク着否判定ブースＡ（第１の区画）でチェックを受けた後、手洗いブースＢ（第２の区画）でチェックを受けるまでの間の時間が不当に長かったりする場合には、再度マスク着否判定ブースＡ（第１の区画）からのチェックを行うことが望ましい。入場者のＩＣカード１０に書き込まれるタイムスタンプは、このための管理を行うためのものである。
【００３０】
前記（ｂ）のために設けられているのが、手洗いブースＢ（第２の区画）である。この手洗いブースＢ（第２の区画）においては、入場者に対して手洗いを行うようにし向ける。このための構成としては、仕切りで仕切られた個別スペース（図１ではこれが４つ設けられている）に、ＩＣカードリーダーライター２１０、手洗い場の洗浄液（アルコールなどの消毒液を含んでもよい）のための流量制御部２２０、表示装置２３０などが設けられている。また、これらの構成を制御するに第２制御部２００が設けられている。この第１制御部１００は、ＣＰＵとＣＰＵ上で動作するプログラムを保持するＲＯＭとＣＰＵのワークエリアであるＲＡＭなどからなる汎用の情報処理機構であるが、特に、この第２制御部２００は、適正ＩＤデータ記憶部２５０、タイムスタンプ発行部２６０、第２混雑度記憶部２７０を備えてなるものである。
【００３１】
手洗いブースＢ（第２の区画）における動作の概略としては、入場者に自らのＩＣカード１０をＩＣカードリーダーライター２１０に挿入してもらい、手洗い場での手洗いを実行してもらう。このとき、流量制御部２２０で洗浄液の流量をコントロールする。そして
、所定の手洗いが実行されたものとすることができる場合には、表示装置２３０において「適」の点灯を行い、入場者に報知される。また、判定の結果が適であるときには、ＩＣカードリーダーライター２１０によって、入場者のＩＣカード１０の第２タイムスタンプ記憶部２２に適判定が出されたときの時刻を書き込むようにする。第２のタイムスタンプは、手洗い実行に関し適格であるデータを時間情報として現したものである。なお、本実施形態ではＩＣカード１０をＩＣカードリーダーライター２１０に挿入するタイプのＩＣカードリーダーライター２１０が用いられているが、このようなタイプのＩＣカードリーダーライター２１０に限らず、例えば、入場者がＩＣカード１０を所持しているだけでも、ＩＣカード１０との間で非接触通信を行い得るものを用いることも好ましい実施形態である。また、本実施形態では、入場者に「適」であるか「不適」であるかを報知する手段として表示装置２３０を用いるようにしているが、本発明はこれに限らず、音声によって入場者に「適」であるか「不適」であるかを報知する手段を用いることも可能である。また、入場者に「不適」が報知された場合には、入場者は再度手洗いを励行することが期待される。
【００３２】
前記（ｄ）を実現するためには、それぞれの区画における人数が多くなり、入場者が過密状態となることを避ける必要がある。このために、本実施形態では、体熱計測ブースＣ（第３の区画）が混雑しているときには、その前段階における手洗いブースＢ（第２の区画）で「適」などの判定を出すのを遅くして、体熱計測ブースＣ（第３の区画）の混雑を緩和するように制御される。同様に、手洗いブースＢ（第２の区画）が混雑しているときには、その前段階におけるマスク着否判定ブースＡ（第１の区画）で「適」などの判定を出すのを遅くして、体熱計測ブースＣ（第３の区画）の混雑を緩和するように制御される。このために用いられるのが第２混雑度記憶部２７０や、次の第３混雑度記憶部３７０である。
【００３３】
前記（ｃ）のために設けられているのが、体熱計測ブースＣ（第３の区画）である。この体熱計測ブースＣ（第３の区画）においては、体熱が平常である入場者を選別する。この選別のための構成としては、仕切りで仕切られた個別スペース（図１ではこれが４つ設けられている）に、ＩＣカードリーダーライター３１０、サーモグラフィー３２０、表示装置３３０などが設けられている。また、これらの構成を制御するに第３制御部３００が設けられている。この第３制御部３００は、ＣＰＵとＣＰＵ上で動作するプログラムを保持するＲＯＭとＣＰＵのワークエリアであるＲＡＭなどからなる汎用の情報処理機構であるが、特に、この第３制御部３００は、適正ＩＤデータ記憶部３５０、タイムスタンプ発行部３６０、第３混雑度記憶部３７０を備えてなるものである。
【００３４】
体熱計測ブースＣ（第３の区画）における体熱チェックの概略としては、入場者に自らのＩＣカード１０をＩＣカードリーダーライター３１０に挿入してもらい、サーモグラフィー３２０によって当該入場者の顔のサーモグラフを取得する。そして、顔のサーモグラフデータを解析し、入場者平熱であるか否かを判定する。この判定の結果は、表示装置３３０における「適」の点灯、又は「不適」の点灯によって入場者に報知される。また、判定の結果が適であるときには、ＩＣカードリーダーライター３１０によって、入場者のＩＣカード１０の第３タイムスタンプ記憶部２３に適判定が出されたときの時刻を書き込むようにする。第３のタイムスタンプは、体熱に関し適格であるデータデータを時間情報として現したものである。なお、本実施形態ではＩＣカード１０をＩＣカードリーダーライター３１０に挿入するタイプのＩＣカードリーダーライター３１０が用いられているが、このようなタイプのＩＣカードリーダーライター３１０に限らず、例えば、入場者がＩＣカード１０を所持しているだけでも、ＩＣカード１０との間で非接触通信を行い得るものを用いることも好ましい実施形態である。また、本実施形態では、入場者に「適」であるか「不適」であるかを報知する手段として表示装置３３０を用いるようにしているが、本発明はこれに限らず、音声によって入場者に「適」であるか「不適」であるかを報知する
手段を用いることも可能である。また、入場者に「不適」が報知された場合には、入場者は体温計測ブース（Ｄ）に進むことを期待される。
【００３５】
なお、第１制御部１００と第２制御部２００、第２制御部２００と第３制御部３００とは所定の通信線でデータ交換可能に構成されている。また、本実施形態では、第１制御部１００、第２制御部２００、第３制御部３００をそれぞれ独立した制御部として説明しているが、これらの制御部を一つの制御部として構成することも可能である。
【００３６】
体熱計測ブースＣ（第３の区画）後の管理対象区画Ｅ前段には、平常使用されている入退場管理システムが設けられており、これはＩＣカードリーダーライター４１０、ゲート４２０などから構成されており、さらにこれらの構成を制御するに第４制御部４００が設けられている。この第４制御部４００は、ＣＰＵとＣＰＵ上で動作するプログラムを保持するＲＯＭとＣＰＵのワークエリアであるＲＡＭなどからなる汎用の情報処理機構であるが、特に、この第４制御部４００は、適正ＩＤデータ記憶部４５０を備えてなるものである。なお、平時における使用においては第４制御部４００がタイムスタンプのチェックを行うことはしないが、本実施形態における使用では、は第４制御部４００がタイムスタンプのチェックを行うことが好ましい。
【００３７】
次に、以上のように構成される本発明の入退場管理システムの処理についてより詳細に説明する。図６は本発明の実施形態に係る入退場管理システムの第１制御部における処理のフローチャートの一例を示す図である。このようなフローチャートは、ＩＣカードリーダーライター１１０でＩＣカード１０が検出されたことを契機に実行が開始される。
【００３８】
ステップＳ１００で、ＩＣカードリーダーライター１１０によってＩＣカード１０が検出されると処理が開始され、続いて、ステップＳ１０１では、ＩＣカード１０の記憶部に記憶さているデータが読み取られる。
【００３９】
続くステップＳ１０２では、ＩＣカード１０に記憶されるＩＤデータが適正ＩＤデータであるか否かが、適正ＩＤデータ記憶部１５０が参照され、判定される。ステップＳ１０２における判定がＹＥＳであるときにはステップＳ１０３に進み、ＮＯであるときにはステップＳ１１２に進み、表示装置１３０で不適を点灯表示し、ステップＳ１１３で処理を終了する。
【００４０】
ステップＳ１０３では、撮像装置１２０によって撮像画像を取得し、ステップＳ１０４で、当該撮像画像を解析し、この解析に基づいてステップＳ１０５で、入場者がマスクを着用しているか否かが判定される。ステップＳ１０５における判定がＹＥＳであるときにはステップＳ１０６に進み、ＮＯであるときにはステップＳ１１２に進み、表示装置１３０で不適を点灯表示し、ステップＳ１１３で処理を終了する。
【００４１】
ステップＳ１０６では、タイムスタンプ発行部１６０で、現在時刻に基づいてタイムスタンプの発行を行う。ここで発行されるタイムスタンプデータは現在の「日付、時、分、秒」からなるデータである。ステップＳ１０７では、発行されたタイムスタンプを、ＩＣカードリーダーライター１１０によってＩＣカード１０の第１タイムスタンプ記憶部２１に書き込む。
【００４２】
続いて、ステップＳ１０８では、第２制御部２００より第２混雑度記憶部２７０に記憶されている手洗いブースＢ（第２の区画）の混雑度に係る情報を取得する。このような混雑度としては、例えば、混雑度が高い、低い、の２段階で設定されてなるものである。
【００４３】
ステップＳ１０９では、手洗いブースＢ（第２の区画）の混雑度が「高」であるか否か
が判定される。ステップＳ１０９の判定がＮＯの場合、すなわち次のブースが混雑していない場合には、直ちにステップＳ１１１に進み、表示装置１３０で「適」表示を行い、ステップＳ１１３で処理を終了する。
【００４４】
一方、ステップＳ１０９の判定がＹＥＳの場合、すなわち次のブースが混雑している場合には、ステップＳ１１０に進み、所定時間（例えば、５〜１０秒程度）の経過を待ってから、ステップＳ１１１に進み、表示装置１３０で「適」表示を行い、ステップＳ１１３で処理を終了する。本実施形態では、ステップＳ１１０などの所定時間経過待ちのステップを有するために、混雑度を緩和し、人と人の間の距離をある程度保つことができるようになっている。また、本実施形態では、混雑度が「高」である場合には、入場者には所定時間の経過を待たせるようにするものであるが、入場者には待たせている事実を知らせるわけではないので、入場者は待ち時間を意識することなく、混雑度の緩和を行うことができる。
【００４５】
次に、本発明の入退場管理システムの手洗いブースＢ（第２の区画）における処理についてより詳細に説明する。図７は本発明の実施形態に係る入退場管理システムの第２制御部における処理のフローチャートの一例を示す図である。このようなフローチャートは、ＩＣカードリーダーライター２１０でＩＣカード１０が検出されたことを契機に実行が開始される。
【００４６】
ステップＳ２００で、ＩＣカードリーダーライター１１０によってＩＣカード１０が検出されると処理が開始され、続いて、ステップＳ２０１では、ＩＣカード１０の記憶部に記憶さているデータが読み取られる。
【００４７】
続くステップＳ２０２では、ＩＣカード１０に記憶されるＩＤデータが適正ＩＤデータであるか否かが、適正ＩＤデータ記憶部２５０が参照され、判定される。ステップＳ２０２における判定がＹＥＳであるときにはステップＳ２０３に進み、ＮＯであるときにはステップＳ２１４に進み、表示装置１３０で不適を点灯表示し、ステップＳ２１５で処理を終了する。
【００４８】
ステップＳ２０３では、第１タイムスタンプ記憶部２１から読み出されたタイムスタンプが、所定時間（例えば、３分程度）内のタイムスタンプであるか否かが判定される。ステップＳ２０３における判定がＹＥＳであるときにはステップＳ２０４に進み、ＮＯであるときにはステップＳ２１４に進み、表示装置１３０で不適を点灯表示し、ステップＳ２１５で処理を終了する。
【００４９】
ステップＳ２０４では、流量制御部２２０によって洗浄液を流し始め、ステップＳ２０５では、所定の洗浄時間が経過したかが判定することによって、所定洗浄時間にわたり洗浄液を流し続ける。なお、ここでは、入場者は所定の洗浄時間手洗いを実行しているものと想定して、実際に入場者が手洗いをしているかどうかのチェックまでは行っていないが、もし、このようなチェックが必要であれば、撮像蔵置を導入しこの撮像装置によって取得された画像データを解析することによって、実際に入場者が手洗いをしているかどうかのチェックを行うことも可能である。
【００５０】
ステップＳ２０６では、タイムスタンプ発行部２６０で、現在時刻に基づいてタイムスタンプの発行を行う。ここで発行されるタイムスタンプデータは現在の「日付、時、分、秒」からなるデータである。ステップＳ２０７では、発行されたタイムスタンプを、ＩＣカードリーダーライター２１０によってＩＣカード１０の第２タイムスタンプ記憶部２２に書き込む。
【００５１】
次のステップＳ２０８では、第２混雑度記憶部２７０に対して、ステップＳ２０６で発行したタイムスタンプ情報を通知する。この第２混雑度記憶部２７０では、第２制御部２００が管理する手洗いブースＢ（第２の区画）における混雑度を求めて記憶する。本実施形態では、混雑度記憶部で記憶管理する混雑度としては「高」、「低」の２段階であるが、混雑度の段階数としては任意に設定することが可能である。混雑度記憶部における混雑度の算出等については後に説明する。
【００５２】
ステップＳ２０９では、第３制御部３００から、体熱計測ブースＣ（第３の区画）の混雑度に係る情報（第３混雑度情報）を取得する。このような混雑度としては、本実施形態では、混雑度が高い、低い、の２段階で設定されてなるものである。
【００５３】
ステップＳ２１０は、体熱計測ブースＣ（第３の区画）の混雑度が「高」であるか否かが判定される。ステップＳ２１０の判定がＮＯの場合、すなわち次のブースが混雑していない場合には、ステップＳ２１２に進み、流量制御部２２０による洗浄液の流れを止めて、直ちにステップＳ２１３に進み、表示装置２３０で「適」表示を行い、ステップＳ２１５で処理を終了する。
【００５４】
一方、ステップＳ２１０の判定がＹＥＳの場合、すなわち次のブースが混雑している場合には、ステップＳ２１１に進み、所定時間（例えば、５〜１０秒程度）の経過を待ってから、ステップＳ２１２に進み、流量制御部２２０による洗浄液の流れを止めて、ステップＳ２１３で表示装置１３０で「適」表示を行い、ステップＳ２１５で処理を終了する。本実施形態では、ステップＳ２１１などの所定時間経過待ちのステップを有するために、混雑度を緩和し、人と人の間の距離をある程度保つことができるようになっている。また、本実施形態では、混雑度が「高」である場合には、入場者には所定時間の経過を待たせるようにするものであるが、入場者には待たせている事実を知らせるわけではないので、入場者は待ち時間を意識することなく、混雑度の緩和を行うことができる。
【００５５】
次に、本発明の入退場管理システムの体熱計測ブースＣ（第３の区画）における処理についてより詳細に説明する。図８は本発明の実施形態に係る入退場管理システムの第３制御部における処理のフローチャートの一例を示す図である。このようなフローチャートは、ＩＣカードリーダーライター３１０でＩＣカード１０が検出されたことを契機に実行が開始される。
【００５６】
ステップＳ３００で、ＩＣカードリーダーライター３１０によってＩＣカード１０が検出されると処理が開始され、続いて、ステップＳ３０１では、ＩＣカード１０の記憶部に記憶さているデータが読み取られる。
【００５７】
続くステップＳ３０２では、ＩＣカード１０に記憶されるＩＤデータが適正ＩＤデータであるか否かが、適正ＩＤデータ記憶部３５０が参照され、判定される。ステップＳ３０２における判定がＹＥＳであるときにはステップＳ３０３に進み、ＮＯであるときにはステップＳ３１１に進み、表示装置１３０で不適を点灯表示し、ステップＳ３１２で処理を終了する。
【００５８】
ステップＳ３０３では、第１タイムスタンプ記憶部２１、第２タイムスタンプ記憶部２２から読み出されたタイムスタンプが、所定時間（例えば、第１タイムスタンプで６分程度、第２タイムスタンプで３分程度）内のタイムスタンプであるか否かが判定される。ステップＳ３０３における判定がＹＥＳであるときにはステップＳ３０４に進み、ＮＯであるときにはステップＳ３１１に進み、表示装置１３０で不適を点灯表示し、ステップＳ３１２で処理を終了する。
【００５９】
ステップＳ３０４では、サーモグラフィー３２０によって入場者の顔のサーモグラフを取得し、ステップＳ３０５で、当該サーモグラフ画像を解析し、この解析に基づいてステップＳ３０６で、入場者の体熱が所定温度以下であるか否かが判定される。ステップＳ３０６における判定がＹＥＳであるときにはステップＳ３０７に進み、ＮＯであるときにはステップＳ３１１に進み、表示装置３３０で不適を点灯表示し、ステップＳ３１２で処理を終了する。
【００６０】
ステップＳ３０７では、タイムスタンプ発行部３６０で、現在時刻に基づいてタイムスタンプの発行を行う。ここで発行されるタイムスタンプデータは現在の「日付、時、分、秒」からなるデータである。ステップＳ３０８では、発行されたタイムスタンプを、ＩＣカードリーダーライター３１０によってＩＣカード１０の第３タイムスタンプ記憶部２３に書き込む。
【００６１】
次のステップＳ３０９では、第３混雑度記憶部３７０に対して、ステップＳ３０７で発行したタイムスタンプ情報を通知する。この第３混雑度記憶部３７０では、第３制御部３００が管理する体熱計測ブースＣ（第３の区画）における混雑度を求めて記憶する。本実施形態では、混雑度記憶部で記憶管理する混雑度としては「高」、「低」の２段階であるが、混雑度の段階数としては任意に設定することが可能である。混雑度記憶部における混雑度の算出等については後に説明する。
【００６２】
ステップＳ３０９に続く、ステップＳ３１０では、表示装置３３０で「適」表示を行い、ステップＳ３１２で処理を終了する。
【００６３】
以上のような本発明の入退場管理システムによれば、第１制御部１００における処理で、マスクを装着している入退場者のＩＣカード１０に対してのみ適格である旨のデータを時間情報として書き込み、第２制御部２００における処理で、手洗いを実行した入退場者のＩＣカードに対してのみ適格である旨のデータを時間情報として書き込み、第３制御部３００における処理で、体熱が平熱である入退場者のＩＣカードに対してのみ適格である旨のデータを時間情報として書き込むものであるので、新型インフルエンザなどのパンデミックが発生した場合に、管理対象区画における感染防止を考慮した入退場管理を行うことが可能となる。
【００６４】
次に、本発明の入退場管理システムが導入されたときの、既設の入退場管理システムにおける処理についてより詳細に説明する。図９は既設の入退場管理システムの第４制御部における処理のフローチャートの一例を示す図である。このようなフローチャートは、ＩＣカードリーダーライター４１０でＩＣカード１０が検出されたことを契機に実行が開始される。また、このようなフローチャートによる処理は、新型インフルエンザなどのパンデミックが発生し、本実施形態の入退場管理システムが導入されたときに実行されると好ましいものである。
【００６５】
ステップＳ４００で、ＩＣカードリーダーライター４１０によってＩＣカード１０が検出されると処理が開始され、続いて、ステップＳ４０１では、ＩＣカード１０の記憶部に記憶さているデータが読み取られる。
【００６６】
続くステップＳ４０２では、ＩＣカード１０に記憶されるＩＤデータが適正ＩＤデータであるか否かが、適正ＩＤデータ記憶部４５０が参照され、判定される。ステップＳ４０２における判定がＹＥＳであるときにはステップＳ４０３に進み、ＮＯであるときにはステップＳ４０５に進み、ゲート４２０を非開放とし、ステップＳ４０６で処理を終了する。
【００６７】
ステップＳ４０３では、第１タイムスタンプ記憶部２１、第２タイムスタンプ記憶部２２、第３タイムスタンプ記憶部２３から読み出されたタイムスタンプが、所定時間（例えば、第１タイムスタンプで９分程度、第２タイムスタンプで６分程度、第３タイムスタンプで３分程度）内のタイムスタンプであるか否かが判定される。ステップＳ４０３における判定がＹＥＳであるときにはステップＳ４０４に進み、ゲート４２０を開放し、ステップＳ４０６で処理を終了する。一方、ステップＳ４０３における判定がＮＯであるときにはゲート４２０を非開放とし、ステップＳ４０６で処理を終了する。
【００６８】
次に、第２混雑度記憶部２７０及び第３混雑度記憶部３７０における処理について説明する。第２混雑度記憶部２７０及び第３混雑度記憶部３７０における処理は共通であるので、ここでは「混雑度記憶部」の処理として以下説明する。制御部の処理ルーチン（図７のステップＳ２０８及び図８のステップＳ３０９）から、混雑度記憶部は、発行されたタイムスタンプ情報を受信する。混雑度記憶部はタイムスタンプ情報を受信し取得することで、情報を更新する処理を開始する。図１０はこのような更新処理のフローチャートを示す図である。
【００６９】
ステップＳ５００で、混雑度記憶情報の更新処理が開始されると、続いてステップＳ５０１に進み、現時刻から所定時刻前までの間に発行されたタイムスタンプ情報を累積する。
【００７０】
続くステップＳ５０２では、累積されたタイムスタンプ情報が所定数以上であるか否かが判定される。この判定結果がＹＥＳであるときには、ステップＳ５０３に進み、混雑度が「高」であるとし、判定結果がＮＯであるときには、ステップＳ５０５に進み、混雑度が「低」であるとする。
【００７１】
ステップＳ５０４では、判定された混雑度情報となるように記憶部を更新し、ステップＳ５０６で処理を終了する。
【００７２】
以上、本発明の入退場管理システムによれば、第１の手段（第１制御部の処理）によりマスクを装着している入退場者のＩＣカードに対してのみ適格である旨のデータを時間情報として書き込み、第２の手段（第２制御部の処理）により手洗いを実行した入退場者のＩＣカードに対してのみ適格である旨のデータを時間情報として書き込み、第３の手段（第３制御部の処理）により体熱が平熱である入退場者のＩＣカードに対してのみ適格である旨のデータを時間情報として書き込むものであるので、新型インフルエンザなどのパンデミックが発生した場合に、管理対象区画における感染防止を考慮した入退場管理を行うことが可能となる。
【００７３】
また、本発明の入退場管理システムによれば、混雑状況に応じて、所定時間の経過を待つようにすることで、入退場管理において人と人の間の距離をある程度保つことができる。
【００７４】
以上、本発明に係る入退場管理システムをパンデミックが発生した場合の入退場管理に用いる例について説明したが、本発明の入退場管理システムはこのような利用形態に限定されるものではない。例えば、テロ対応時における入場管理において、入退場者が手荷物Ｘ線検査、金属探知検査などの条件を満たしていることをＩＣカードに書き込むなどに本発明の入退場管理システムを用いることも可能である。
【符号の説明】
【００７５】
１０・・・ＩＣカード、１１・・・アンテナ部、１２・・・電力生成部、１３・・・通信制御部、１４・・・Ｉ／Ｏユニット、１５・・・ＣＰＵ、１６・・・メモリ、２０・・・
ＩＤデータ記憶部、２１・・・第１タイムスタンプ記憶部、２２・・・第２タイムスタンプ記憶部、２３・・・第３タイムスタンプ記憶部、１００・・・第１制御部、１１０・・・ＩＣカードリーダーライター、１２０・・・撮像装置、１３０・・・表示装置、１５０・・・適正ＩＤデータ記憶部、１６０・・・タイムスタンプ発行部、２００・・・第２制御部、２１０・・・ＩＣカードリーダーライター、２２０・・・流量制御部、２３０・・・表示装置、２５０・・・適正ＩＤデータ記憶部、２６０・・・タイムスタンプ発行部、２７０・・・第２混雑度記憶部、３００・・・第３制御部、３１０・・・ＩＣカードリーダーライター、３２０・・・サーモグラフィー、３３０・・・表示装置、３５０・・・適正ＩＤデータ記憶部、３６０・・・タイムスタンプ発行部、３７０・・・第３混雑度記憶部、４００・・・第４制御部、４１０・・・ＩＣカードリーダーライター、４２０・・・ゲート、４５０・・・適正ＩＤデータ記憶部
【図１】
2010217999.tif 000003
【図２】
2010217999.tif 000004
【図３】
2010217999.tif 000005
【図４】
2010217999.tif 000006
【図５】
2010217999.tif 000007
【図６】
2010217999.tif 000008
【図７】
2010217999.tif 000009
【図８】
2010217999.tif 000010
【図９】
2010217999.tif 000011
【図１０】
2010217999.tif 000012